(57)【要約】【課題】  本願は、コストを抑え、耐荷重強度を向上させた、汎用性の高い縦葺き屋根用嵌合部材と、それを有する折板屋根用取付部材及び二重折板屋根用取付部材とを提供することを目的とする。【構成】  本願は、内側部材と外側部材を有する縦葺き屋根用嵌合部材である。内側部材は、底面と、底面を上方に折り曲げて形成され、外側に突出する外側部材用被嵌合部が設けられている立面を有している。外側部材は、上面と、上面から折り下げられた側面と、側面を内側に折り曲げた折曲部を有している。この折曲部は、内側が内側部材用嵌合部、外側が屋根用被嵌合部である。そして、この屋根用被嵌合部は、外側に突出する係止爪を有している。本願の縦葺き屋根用嵌合部材が、内側部材の立面を軒棟方向に向け、内側部材用嵌合部に外側部材用被嵌合部が組み合わせられて、内側部材に外側部材が嵌合されたときに、外側部材は、内側部材よりも軒棟方向に突出する長さを有する。【選択図】  図３
2015132091.tif 000002
【特許請求の範囲】
【請求項１】
内側部材と外側部材を有する縦葺き屋根用嵌合部材であって、
前記内側部材は、
底面と、
該底面を上方に折り曲げて形成され、
外側に突出する外側部材用被嵌合部が設けられている立面を有しており、
前記外側部材は、
上面と、
該上面から折り下げられた側面と、
該側面を内側に折り曲げた折曲部を有し、
該折曲部は、
内側が内側部材用嵌合部、
外側が屋根用被嵌合部であり、
該屋根用被嵌合部は、
外側に突出する係止爪を有しており、
前記内側部材の立面を軒棟方向に向け、
前記内側部材用嵌合部に前記外側部材用被嵌合部が組み合わせられて、
前記内側部材に前記外側部材が嵌合されたときに、
前記外側部材は、
前記内側部材よりも軒棟方向に突出する長さを有する
縦葺き屋根用嵌合部材。
【請求項２】
請求項１記載の縦葺き屋根用嵌合部材を、
タイトフレーム上部に組み合わせた
折板屋根用取付部材。
【請求項３】
内側部材の底面に止着具用孔を有する
請求項１記載の縦葺き屋根用嵌合部材を、
取り付け金具の上部に組み合わせた
二重折板屋根用取付部材。
【発明の詳細な説明】
【技術分野】
【０００１】
本願は、強度の高い縦葺き屋根用嵌合部材に関する。また、本願は、前記縦葺き屋根用嵌合部材を用いた折板屋根用取付部材及び二重折板屋根用取付部材に関する。
【背景技術】
【０００２】
図６は、金具本体６の頂部に固定金具７を載置してなる折板支持金具２を用いた折板屋根構造である。折板支持金具２を屋根上に固定し、端縁同士を当接した状態で折板の端縁部を固定金具７に係止した後、隣接する折板の端縁部間に嵌合部材を嵌合して折板を固定する折板屋根構造である。
【０００３】
図７は、山型の基部部材１に、この頂部に載置される水平部ならびにその両側面に接続する弾発嵌合片２ｂを有する嵌合部材２と、これに載置され、頂部の両側面に接続し前記弾発嵌合片２ｂよりも短い傾斜部３ｃと、これに頂部の前後面で直角方向に接続する傾斜部３ｄとを有し、かつ頂部の前後方向両端に中央部３ａよりも上方に膨出する膨出部３ｂを形成した押さえ部材３とを締結部材４により締結固定して構成する嵌合型折板の取り付け部材である。
【先行技術文献】
【特許文献】
【０００４】
【特許文献１】特開平８−３１９７０１号公報
【特許文献２】実開平７−２９１３７号公報
【発明の概要】
【発明が解決しようとする課題】
【０００５】
図６は、両側から立上り片１１，１１を延設するとともに、この立上り片１１，１１に外側下方に向けて傾斜する係止片１２，１２を延設している。そのため、折板屋根にかかる荷重に対する強度は、固定金具７の板厚に依存する。したがって、折板屋根にかかる荷重に対する強度を向上させるのに、コスト増大は不可避であった。
【０００６】
図７は、弾発嵌合片２ｂを有する嵌合部材２を用いる。なお、この嵌合部材２は薄板状のばね鋼よりなる。したがって、嵌合型折板にかかる荷重に対する強度は、薄板状である嵌合部材２に依存する。そのため、嵌合型折板にかかる荷重に対する強度が低く、嵌合型折板が外れてしまう可能性が高かった。
【０００７】
図６及び図７は、タイトフレーム用の金具である。そのため、嵌合部材を二重折板屋根用取付部材としても用いるという発想や示唆もなかった。
【０００８】
本願は、コストを抑え、耐荷重強度を向上させた、汎用性の高い縦葺き屋根用嵌合部材と、それを有する折板屋根用取付部材及び二重折板屋根用取付部材とを提供することを目的とする。
【課題を解決するための手段】
【０００９】
本願は、内側部材と外側部材を有する縦葺き屋根用嵌合部材である。内側部材は、底面と、底面を上方に折り曲げて形成され、外側に突出する外側部材用被嵌合部が設けられている立面を有している。外側部材は、上面と、上面から折り下げられた側面と、側面を内側に折り曲げた折曲部を有している。この折曲部は、内側が内側部材用嵌合部、外側が屋根用被嵌合部である。そして、この屋根用被嵌合部は、外側に突出する係止爪を有している。本願の縦葺き屋根用嵌合部材が、内側部材の立面を軒棟方向に向け、内側部材用嵌合部に外側部材用被嵌合部が組み合わせられて、内側部材に外側部材が嵌合されたときに、外側部材は、内側部材よりも軒棟方向に突出する長さを有する。
【００１０】
また、本願は、先述した縦葺き屋根用嵌合部材を、タイトフレーム上部に組み合わせた折板屋根用取付部材である。
【００１１】
さらに、本願は、内側部材の底面に止着具用孔を有する先述した縦葺き屋根用嵌合部材を、取り付け金具の上部に組み合わせた二重折板屋根用取付部材である。
【発明の効果】
【００１２】
本願において、内側部材の立面を軒棟方向に向け、内側部材用嵌合部に外側部材用被嵌合部が組み合わせられて、内側部材に外側部材が嵌合されたときに、外側部材は、内側部材よりも軒棟方向に突出する長さを有する。そのため、外側部材の軒棟方向の長さにわたって屋根材が嵌合されている。その結果、屋根材にかかる荷重を外側部材の軒棟方向の長さ全体で受けるので、屋根材にかかる荷重が分散され、屋根材が変形しにくく、より大きな荷重に耐えることができる。
【００１３】
また、本願において、内側部材の立面に、外側部材の内側部材用嵌合部が嵌合された外側に、屋根材が嵌合される。そのため、屋根材にかかる荷重は、内側部材の立面にかかる。したがって、外側部材及び内側部材の板厚が薄くても、屋根材にかかる荷重に対する強度を向上させることができる。
【００１４】
さらに、本願において、外側部材は、上面と、上面から折り下げられた側面と、側面を内側に折り曲げた折曲部を有している。この折曲部は、内側が内側部材用嵌合部、外側が屋根用被嵌合部である。そして、この屋根用被嵌合部は、外側に突出する係止爪を有している。そのため、屋根材に荷重がかかった場合に、係止爪に荷重がかかる。このとき、外側部材の内側部材用嵌合部が、内側部材の外側部材用被嵌合部に嵌合されている。したがって、外側部材は、内側部材用嵌合部が内側部材に引っ掛かるとともに、係止爪によって屋根材の嵌合部の奥まで嵌合させられる。そのため、その係止爪自体の強度に加えて、外側部材が内側部材用嵌合部によって、内側部材に嵌合している分、強度が向上している。
【００１５】
その上、内側部材の底面に止着具用孔を形成することによって、タイトフレーム上部に組み合わせることができるのに加え、取り付け金具の上部にも組み合わせることができる。このように、汎用性があるので、コスト削減も実現できる。
【図面の簡単な説明】
【００１６】
【図１】本願の縦葺き屋根用嵌合部材における内側部材の実施例を示す説明図である。
【図２】本願の縦葺き屋根用嵌合部材における外側部材の実施例を示す説明図である。
【図３】本願の縦葺き屋根用嵌合部材の実施例を示す説明図である。
【図４】本願の折板屋根用取付部材の実施例を示す説明図である。
【図５】本願の二重折板屋根用取付部材の実施例を示す説明図である。
【図６】従来技術を示す説明図である。
【図７】従来技術を示す説明図である。
【実施例】
【００１７】
本願の実施例について、図面に基づいて説明する。図１から図３までが縦葺き屋根用嵌合部材の実施例の説明図である。図４が折板屋根用取付部材の実施例の説明図である。図５が二重折板屋根用取付部材の実施例の説明図である。
【００１８】
本願における縦葺き屋根は、その種類を問わない。そのなかでも、山部及び谷部を有し、嵌合部材に嵌合される形状の屋根材が最適である。たとえば、嵌合式折板などがあげられる。
【００１９】
まず、縦葺き屋根用嵌合部材の実施例について説明する。図１は内側部材の斜視図、図２は外側部材の斜視図、図３は内側部材に外側部材を嵌合させる説明図である。
【００２０】
本願は、内側部材１と外側部材２を有する縦葺き屋根用嵌合部材である。内側部材１と外側部材２は、嵌合によって組み合わされる。このとき、外側部材２が屋根の流れ方向に滑落するのを防ぐために、流れ止め手段４を用いることが望ましい。このように、付加機能を実現する部位を形成したり、別部材を組み合わせたりしてもよい。
【００２１】
内側部材１は、底面１１を有する。底面１１には、タイトフレームＴや取り付け金具Ｋの上部に固定する手段が形成されている。たとえば、本実施例のように、止着具用孔１１１を形成することが挙げられる。このほか、溶接、接着剤などにより、底面１１がタイトフレームＴや取り付け金具Ｋの上部に固定されてもよい。
【００２２】
内側部材１は、底面１１を上方に折り曲げて形成され、外側に突出する外側部材用被嵌合部１２１が設けられている立面１２・１２を有している。本実施例において、立面１２・１２は、略台形状である。なお、本実施例においては、外側に突出する角が外側部材用被嵌合部１２１である。また、立面１２をさらに折り曲げて、流れ止め部１４を形成してもよい。この流れ止め部１４については後述する。
【００２３】
内側部材１は、立面１２・１２のほかに、本実施例のように補強面１３・１３を形成してもよい。補強面１３・１３は、立面１２・１２に両端縁が当接又は近接するように折り曲げられて形成されている。この補強面１３・１３を形成することによって、屋根に荷重がかかった際に、底面１１や立面１２が変形するのを防ぐ役割を果たす。
【００２４】
外側部材２は、上面２１を有する。上面２１は、取り付ける屋根材Ｙの裏面に当接する部分であり、屋根材Ｙが取り付けられたあと、それを支え、変形を防止する役割を果たす。なお、本実施例のように、上面２１に切り込みを入れ、下方に折り曲げて、流れ止め部２３を形成してもよい。この流れ止め部２３については後述する。
【００２５】
外側部材２は、上面２１から折り下げられた側面２２・２２を有する。本実施例では外側に傾斜するように鈍角に折り曲げられ、内側部材１の立面１２に対応した形状である。
【００２６】
外側部材２は、側面２２・２２を内側に折り曲げた折曲部２２１・２２１を有する。本実施例では、内側に曲げた角が来るように略く字状に折り曲げられている。折曲部２２１の内側は、内側部材用嵌合部２２１ｂであり、内側部材１の外側部材用被嵌合部１２１に嵌合される。一方、折曲部２２１の外側は、屋根用被嵌合部２２１ａであり、屋根材Ｙの嵌合部が嵌合される。
【００２７】
屋根用被嵌合部２２１ａは、外側に突出する係止爪２２１ａ１を有している。本実施例においては、切り込みを入れ、切縁を外側に突出させて係止爪２２１ａ１・２２１ａ１を形成している。切り込みを入れて係止爪２２１ａ１を形成することによって、屋根材Ｙに負圧が掛かった場合に強度を高める効果を発揮する。たとえば、本実施例のような場合、屋根材Ｙに荷重が掛かったとき、係止爪２２１ａ１により外側部材２と屋根材Ｙとの嵌合が外れにくくなるとともに、係止爪２２１ａ１以外の折り曲げられた部分が内側部材１に引っ掛かり、屋根材Ｙを押さえる構造になる。
【００２８】
本願の縦葺き屋根用嵌合部材は、内側部材１の立面１２・１２を軒棟方向に向けて、取り付けられる。なお、取り付けに際しては、タイトフレームＴや取り付け金具Ｋと組み合わせるのが望ましい。このとき、タイトフレームＴや取り付け金具Ｋの上部から外側に、屋根用被嵌合部２２１ａが突出して、屋根材Ｙが嵌合する構造である。
【００２９】
内側部材１と外側部材２とは、外側部材用被嵌合部１２１が内側部材用嵌合部２２１ｂに嵌合されることによって組み合わされる。本実施例においては、外側部材２が内側部材１に対し、屋根の流れ方向にスライドされ、嵌め合わされる。そして、内側部材１及び外側部材２の流れ止め部１４・２３が流れ止め手段４によって、止められる。ただし、流れ止め手段４として図４のような止め具を用いなくても、滑落防止ができる手段であればよい。
【００３０】
外側部材２は、立面１２・１２を軒棟方向に向けた内側部材１に組み合わされたときに、内側部材１よりも軒棟方向に突出する長さを有する。このように、外側部材２の軒棟方向の長さを内側部材１よりも長くすることによって、通し吊子のような構造になり、縦葺き屋根の変形を防ぐとともに、その耐荷重強度を向上させている。なお、外側部材２が内側部材１よりも突出する長さは、軒棟方向双方が略同じであるのが望ましい。そうすることで、縦葺き屋根用嵌合部材にかかる荷重が偏荷重になるのを防ぐことができる。
【００３１】
次に、本願の折板屋根用取付部材の実施例について説明する。図４は、折板屋根用取付部材に折板屋根材を取り付けた説明図である。なお、この説明図は、軒棟方向に見たものである。
【００３２】
上述した縦葺き屋根用嵌合部材をタイトフレームＴ上部に組み合わせる。本実施例では、内側部材１の底面１１に形成した止着具用孔１１１・１１１を用いて固定している。この止着具用孔１１１・１１１は、屋根の桁行方向に並ぶように２つ形成されている。こうすることで、タイトフレームＴ上部で内側部材１が回転するのを防ぐことができる。また、縦葺き屋根用嵌合部材を、後述する二重折板屋根用取付部材の一部としても使用できるようになる。
【００３３】
折板屋根材Ｙ´の取り付けに際して、まずタイトフレームＴ上部に内側部材１を止着具３・３で止着する。このとき、タイトフレームＴを屋根下地に取り付けた際、内側部材１の立面１２・１２が軒棟方向に向くようにする。そして、内側部材１に外側部材２をスライドするように嵌合させ、流れ止め部１４・２３同士の位置を合わせて、流れ止め手段４である止め具で止着する。こうして、タイトフレームＴ、内側部材１、外側部材２を一体化する。これは、タイトフレームＴが屋根下地に取り付けられる前に行っても、後で行ってもよい。
【００３４】
タイトフレームＴが屋根下地に取り付けられ、内側部材１と外側部材２がタイトフレームＴに一体化されたあと、外側部材２の屋根用被嵌合部２２１ａに折板屋根材Ｙ´が嵌合される。このとき、係止爪２２１ａ１が、折板屋根材Ｙ´の嵌合部の奥まで届いている状態が望ましい。こうすることで、係止爪２２１ａ１が、嵌合された折板屋根材Ｙ´に当接し、嵌合が外れにくくなる。
【００３５】
次に、本願の二重折板屋根用取付部材の実施例について説明する。図５は、二重折板屋根用取付部材に折板屋根材Ｙ´を取り付けた説明図である。なお、この説明図は、軒棟方向に見たものである。
【００３６】
上述した縦葺き屋根用嵌合部材を取り付け金具Ｋの上部に組み合わせる。本実施例では、内側部材１の底面１１に形成した止着具用孔１１１・１１１を用いて固定している。この止着具用孔１１１・１１１は、屋根の桁行方向に並ぶように２つ形成されている。この２つの止着具用孔１１１・１１１は、取り付け金具Ｋの挟持部Ｋ１・Ｋ１と組み合わせるのに用いられる。また、挟持部Ｋ１・Ｋ１同士は締付具Ｋ２によって組み合わされている。縦葺き屋根用嵌合部材と挟持部Ｋ１・Ｋ１との止着具３・３を緩めておくと、締付具Ｋ２を緩めれば挟持部Ｋ１・Ｋ１同士が開き、締めれば挟持部Ｋ１・Ｋ１同士が閉じるようにできる。
【００３７】
二重折板屋根材の取り付けに際して、まず下の折板屋根材Ｙ´が取り付けられる。下の折板屋根材Ｙ´は、ハゼ部や嵌合部など、挟持できる部分を有していればよい。それ以外については、問わない。
【００３８】
次に、内側部材１を取り付け金具Ｋの上部に組み合わせる。このとき、内側部材１と挟持部Ｋ１・Ｋ１との止着具３・３、及び挟持部Ｋ１・Ｋ１同士の締付具Ｋ２は緩めておく。
【００３９】
次に、下の折板屋根材Ｙ´を挟持部Ｋ１・Ｋ１同士で挟み、二重折板屋根用取付部材を取り付ける。このとき、外側部材２は嵌合させていない状態で取り付ける。こうすることによって、止着具３・３を容易に締め付けることができる。挟持部Ｋ１・Ｋ１同士で下の折板屋根材Ｙ´を挟み、止着具３・３を締め付け、締付具Ｋ２を締め付け、下の折板屋根材Ｙ´上に固定する。その後、外側部材２は、内側部材１にスライドするように嵌め合わされ、流れ止め部１４・２３同士の位置を合わせて流れ止め手段４によって止められる。こうして、取り付け金具Ｋ、内側部材１、外側部材２を一体化する。
【００４０】
取り付け部材が下の折板屋根材Ｙ´に取り付けられたあと、外側部材２の屋根用被嵌合部２２１ａに上の折板屋根材Ｙ´が嵌合される。このとき、係止爪２２１ａ１が、折板屋根材Ｙ´の嵌合部の奥まで届いている状態が望ましい。こうすることで、係止爪２２１ａ１が、嵌合された折板屋根材Ｙ´に当接し、嵌合が外れにくくなる。
【符号の説明】
【００４１】
１          内側部材
１１        底面
１１１      止着具用孔
１２        立面
１２１      外側部材用被嵌合部
１３        補強面
１４        流れ止め部
２          外側部材
２１        上面
２２        側面
２２１      折曲部
２２１ａ    屋根用被嵌合部
２２１ａ１  係止爪
２２１ｂ    内側部材用嵌合部
２３        流れ止め部
３          止着具
４          流れ止め手段
Ｔ          タイトフレーム
Ｋ          取り付け金具
Ｋ１        挟持部
Ｋ２        締付具
Ｙ          屋根材
Ｙ´        折板屋根材
【図１】
2015132091.tif 000003
【図２】
2015132091.tif 000004
【図３】
2015132091.tif 000005
【図４】
2015132091.tif 000006
【図５】
2015132091.tif 000007
【図６】
2015132091.tif 000008
【図７】
2015132091.tif 000009